(57)【特許請求の範囲】
【請求項１】
同一の方向に突出する板状の部材である第１の突出片および第２の突出片を、当該第１の突出片および第２の突出片それぞれの主たる面に形成された貫通穴が並んで１つの連続穴となるように重ね合わせられた重ね合わせ状態に保持する固定具であり、
前記重ね合わせ状態となった前記第１の突出片および前記第２の突出片を挿入可能な開口が形成され、当該開口に前記重ね合わせ状態となった前記第１の突出片および前記第２の突出片が挿入された際に、前記連続穴の両端の入口に挿入される２つのスナップが設けられたカバー部材と、
プレートと、
前記カバー部材と前記プレートとをつなぐ連接部と、を備え、
前記プレートの主たる面の法線方向は、前記２つのスナップの並ぶ方向と同じであり、
前記連接部は、周囲よりも肉薄である破断領域として形成されており、
前記２つのスナップが前記連続穴の両端の入口から挿入されることで、前記重ね合わせ状態の保持を実現する
ことを特徴とする固定具。
【請求項２】
前記カバー部材は中空の箱型であり、
前記スナップは、前記カバー部材における前記開口が形成される面と対向する面から前記開口が形成される面に向かって延び出しており、延び出した先に形成される鏃状の部分が前記連続穴の両端の入口に挿入される
ことを特徴とする請求項１に記載の固定具。
【請求項３】
前記連接部は、柱状の部材であって、前記カバー部材における前記開口が形成される面と対向する面の外側表面に形成されている
ことを特徴とする請求項１又は請求項２に記載の固定具。
【発明の詳細な説明】
【技術分野】
【０００１】
本発明は、２つの板状の部材を重ね合わせた状態に保持する固定具に関する。
【背景技術】
【０００２】
従来、２つの板状の部材を重ね合わせた状態で保持する固定具として、板状の部材それぞれに形成された貫通穴を重ね合わせてその貫通穴に軸状の部材を通過させて固定する固定具が提案されている（特許文献１参照）。
【先行技術文献】
【特許文献】
【０００３】
【特許文献１】特開平８−２７０６３０号公報
【発明の概要】
【発明が解決しようとする課題】
【０００４】
家電、産業機器、遊戯機器などの分野では、封緘するための固定具を取り外した場合には、および固定具を取り外した痕跡がわかることが要求される場合がある。
本発明は、上述した問題に鑑みてなされたものであり、その目的は、取り外した痕跡を残すことができる固定具を提供することである。
【課題を解決するための手段】
【０００５】
上述した問題を解決するためになされた請求項１に記載の発明は、同一の方向に突出する板状の部材である第１の突出片および第２の突出片を、当該第１の突出片および第２の突出片それぞれの主たる面に形成された貫通穴が並んで１つの連続穴となるように重ね合わせられた重ね合わせ状態に保持する固定具であり、重ね合わせ状態となった第１の突出片および第２の突出片を挿入可能な開口が形成され、当該開口に重ね合わせ状態となった第１の突出片および第２の突出片が挿入された際に、上記連続穴の両端の入口に挿入される２つのスナップが設けられたカバー部材と、プレートと、カバー部材とプレートとをつなぐ連接部と、を備え、上記プレートの主たる面の法線方向が上記２つのスナップの並ぶ方向と同じであり、上記連接部は、周囲よりも肉薄である破断領域として形成されており、２つのスナップが上記連続穴の両端の入口から挿入されることで、重ね合わせ状態の保持を実現することを特徴とする固定具である。
【０００６】
このように構成された固定具は、重ね合わせ状態となった第１の突出片と第２の突出片とをその状態に保持することができる。
さらに、この固定具には周囲よりも肉薄の破断領域が形成されている。破断領域は周囲よりも肉薄であるため固定具に力が加えられると破断してしまう。その結果、固定具を取り外した場合には破断領域が破断した痕跡が残ることとなるため、固定具を見るだけで容易に固定具を取り外したか否かを確認することができる。
【０００７】
請求項２に記載の発明は、前記カバー部材が中空の箱型であり、前記スナップが、前記カバー部材における前記開口が形成される面と対向する面から前記開口が形成される面に向かって延び出しており、延び出した先に形成される鏃状の部分が前記連続穴の両端の入口に挿入されることを特徴とする請求項１に記載の固定具である。
請求項３に記載の発明は、前記連接部が柱状の部材であり、前記カバー部材における前記開口が形成される面と対向する面の外側表面に形成されていることを特徴とする請求項１又は請求項２に記載の固定具である。
【図面の簡単な説明】
【００２０】
【図１】実施例１の固定具を示す斜視図（Ａ）、および左側面（矢印Ａ方向）からみた断面図（Ｂ）
【図２】実施例１の固定具を物品に取り付けた状態を示す斜視図（Ａ）、および左側面（矢印Ａ方向）からみた断面図（Ｂ）
【図３】実施例１の軸部材を物品に取り付けた状態を示す斜視図（Ａ）、および左側面（矢印Ａ方向）からみた断面図（Ｂ）
【図４】実施例２の固定具を示す斜視図（Ａ）、および左側面（矢印Ａ方向）からみた断面図（Ｂ）
【図５】実施例２の固定具を物品に取り付けた状態を示す斜視図（Ａ）、および左側面（矢印Ａ方向）からみた断面図（Ｂ）
【図６】実施例３の固定具を示す斜視図（Ａ）、正面図（Ｂ）、左側面図（Ｃ）、右側面図（Ｄ）、平面図（Ｅ）、底面図（Ｆ）、平面図におけるＡ−Ａ断面図（Ｇ）
【図７】実施例３の固定具の変形例を示す正面図（Ａ）、斜視図（Ｂ）
【図８】実施例４の固定具を示す斜視図（Ａ）（Ｂ）、正面図（Ｃ）、左側面図（Ｄ）、右側面図（Ｅ）、平面図（Ｆ）、底面図（Ｇ）、平面図におけるＡ−Ａ断面図（Ｈ）
【図９】実施例５の固定具を示す斜視図（Ａ）、および左側面（矢印Ａ方向）からみた断面図（Ｂ）
【図１０】実施例５の固定具を物品に取り付けた状態を示す斜視図（Ａ）、および左側面（矢印Ａ方向）からみた断面図（Ｂ）
【図１１】実施例６の固定具を示す斜視図（Ａ）、および左側面（矢印Ａ方向）からみた断面図（Ｂ）
【図１２】実施例６の固定具を物品に取り付けた状態を示す斜視図（Ａ）、および左側面（矢印Ａ方向）からみた断面図（Ｂ）
【発明を実施するための形態】
【００２１】
次に、本発明の実施例等により発明の実施の形態を説明する。なお、本発明は下記の実施例等に限定されるものではなく、本発明の要旨を逸脱しない範囲でさまざまに実施できることは言うまでもない。
【００２２】
［実施例１］
（１）固定具の構成
本実施例の固定具は、図１（Ａ），（Ｂ）に示すように、いずれも樹脂製の被係合部材２と、軸部材４と、からなるものであって、２つの異なる物品６ａ，６ｂを固定する際に用いるものである。図１（Ａ），（Ｂ）には物品６ａ，６ｂの一部分のみが示されている。
【００２３】
物品６ａ，６ｂには、それぞれ板状の部材である突出片８ａ，８ｂが形成されている。この突出片８ａ，８ｂにおける主たる面には矩形の貫通穴１０ａ，１０ｂが形成されている。本実施例の固定具は、上述した貫通穴１０ａ，１０ｂが並んで１つの連続した穴となるように、かつ、突出片８ａおよび突出片８ｂの突出方向が同一の方向に揃うように重ね合わせられた重ね合わせ状態（図１（Ａ）に示す突出片８ａおよび突出片８ｂの状態）に保持する。
【００２４】
上述した被係合部材２は、断面四角形の筒状である筒状部２０を有している。筒状部２０を構成する壁面の一つは、他の面よりも広く延び出したプレート２２となっている。このプレート２２は、文字情報や図柄を予め形成して、或いは後から記入して表示することができる。
【００２５】
筒状部２０の内部は軸部材４が挿入可能な挿入穴２４となっている。筒状部２０の内側面のうち、プレート２２側の面には筒状部２０の軸方向に沿って複数（本実施例では３つ）の被係止片２６が形成されている。
【００２６】
また筒状部２０を構成する壁面のうち、プレート２２と対向する壁面には開口２８が形成されている。
軸部材４は、柱状の基材３０と、基材３０に連接された複数（本実施例では５つ）の係止片３２と、基材３０よりも外周側に張り出した張出部３４と、からなる。係止片３２は基材３０の他端３０ａから軸方向に沿って並ぶように設けられている。また張出部３４は上記他端３０ａとは逆の一端３０ｂに設けられている。
【００２７】
係止片３２は、一端３０ｂ方向に傾斜するように基材３０から延び出し、基材３０の軸方向と交差する方向に弾性変形する。
張出部３４は矩形の板状であって、上述した物品６ａ，６ｂの貫通穴１０ａ，１０ｂよりも大きく形成されており、貫通穴１０ａ，１０ｂを通過できないようになっている。
【００２８】
また、基材３０における係止片３２が設けられた領域と張出部３４との間には、周囲よりも肉薄に形成された破断領域３６が設けられている。この破断領域３６は基材３０におけるその周囲の部分と比較して引張強さが小さく、基材３０に応力が加えられるとまずこの破断領域３６が破断するように構成されている。
【００２９】
（２）固定具の使用態様
本実施例の固定具を用いて突出片８ａおよび突出片８ｂを上述した重ね合わせ状態として保持したものを図２（Ａ），（Ｂ）に示す。
【００３０】
固定具の取り付け手順を説明する。まず貫通穴１０ａ，１０ｂが一列に並ぶことによってできた連続穴に軸部材４の一端３０ａ側を挿入して通過させる。次に、貫通穴１０ａ，１０ｂを通過した軸部材４の一端３０ａ側を被係合部材２の挿入穴２４に挿入する。
【００３１】
このように固定具を取り付けると、係止片３２が挿入穴２４の内部に設けられた被係止片２６と係合するため、軸部材４が挿入穴２４から抜けることが抑制される（軸部材４と被係合部材２とが係合する）。このように、被係合部材２と張出部３４とにより突出片８ａおよび突出片８ｂを挟み込むことで、突出片８ａと突出片８ｂとの重ね合わせ状態の保持を実現する。
【００３２】
上述したように固定具が取り付けられた状態において、突出片８ａと突出片８ｂとを離間しようとすると、被係合部材２と軸部材４との係合を解除する必要があるが、係止片３２と被係止片２６とは筒状部２０の内部において係合しているため容易に解除することができない。
【００３３】
ここで、被係合部材２と軸部材４とに強い力を加えて無理に外そうとすると、応力に弱い破断領域３６が破断してしまう。その結果、軸部材４の再使用ができなくなるうえ、軸部材４が破断することで固定具を突出片８ａと突出片８ｂから無理に外した痕跡が残るので、固定具を外したことを容易に判別することができる。
【００３４】
また、係止片３２と被係止片２６は、軸部材４を挿入穴２４に挿入するときの軸部材４の軸方向に沿って複数配置されているため、軸部材４と被係合部材２とが係合することのできる位置（軸部材４の挿入穴２４への挿入深さ）を調節することができる。よって、突出片８ａおよび突出片８ｂは特定の厚さのものに限られることなく、さまざまな厚さの突出片に対して重ね合わせ状態の保持を実現することができる。
【００３５】
なお、上記実施例では係止片３２および被係止片２６ともに複数設けられている構成を例示したが、いずれか一方のみ複数設けれている場合でも同様の効果を得ることができる。
【００３６】
また、本実施例の固定具における軸部材４は、図３（Ａ），（Ｂ）に示すように、係止片３２を被係止片２６ではなく貫通穴１０ａの縁部に係止させることで、被係合部材２を用いずとも突出片８ａと突出片８ｂの重ね合わせ状態の保持が可能となる。
【００３７】
この状態では、指などにより係止片３２を基材３０側に押すだけで係止片３２の貫通穴１０ａの縁部に対する係止を容易に解除することができる。すなわち、本実施例の固定具では、軸部材４のみを用いることで、突出片８ａと突出片８ｂとの仮固定を行うことができる。
【００３８】
［実施例２］
（１）固定具の構成
本実施例の固定具４０を図４（Ａ），（Ｂ）に示す。固定具４０は樹脂製であり、実施例１と同様に２つの異なる物品６ａ，６ｂを固定する際に用いるものである。物品６ａ，６ｂについては実施例１と同様の構成であるため、同符号を使用して説明を省略する。
【００３９】
固定具４０は、カバー部材４２と、プレート４４と、カバー部材４２とプレート４４とをつなぐ連接部４６と、からなる。
カバー部材４２は中空の箱型の部材であって、１つの面（図４（Ａ），（Ｂ）においては左側面）が、上述した重ね合わせ状態となっている突出片８ａおよび突出片８ｂを挿入可能な開口５０として構成されている。なお、上記１つの面は、本実施例ではその全面が開口となっているため実際にはその面に壁面は存在しない。
【００４０】
上述した１つの面と対向する（図４（Ａ），（Ｂ）においては右側に位置する）面４２ａには、先端が開口５０側に向かって延びる一対のスナップ４８が設けられている。一対のスナップ４８は、重ね合わせ状態となっている突出片８ａおよび突出片８ｂが挿入されたときに僅かに隙間が生じる間隔で配置されている。スナップ４８の先端部４８ａは開口５０方向を向く鏃状に形成されている。
【００４１】
連接部４６は、中央に開口４６ａが形成されており、その結果周囲と比較して幅方向に肉薄に形成されている。すなわち、この連接部４６が本発明における破断領域となる。
（２）固定具の使用態様
本実施例の固定具４０を用いて突出片８ａおよび突出片８ｂを上述した重ね合わせ状態として保持したものを図５（Ａ），（Ｂ）に示す。
【００４２】
カバー部材４２の開口５０に突出片８ａおよび突出片８ｂを挿入すると、貫通穴１０ａ，１０ｂが並んでできた連続穴の両端の入口に（貫通穴１０ａ，１０ｂそれぞれに）スナップ４８の先端部４８ａが挿入されて係合する。また突出片８ａおよび突出片８ｂはカバー部材４２の壁面とスナップ４８に囲まれているため、このようにスナップ４８が係合することにより上述した重ね合わせ状態の保持が実現される。
【００４３】
ここで、固定具４０に強い力を加えて物品６ａ，６ｂから無理に外そうとすると、肉薄に形成されて応力に弱い連接部４６（破断領域）が破断してしまう。その結果、固定具４０を物品６ａ，６ｂから無理に外そうとした痕跡が残るため、固定具４０を外したことを容易に判別することができる。
【００４４】
［実施例３］
（１）固定具の構成
本実施例の固定具６０を図６（Ａ）〜（Ｇ）に示す。固定具６０は樹脂製であり、実施例１と同様に２つの異なる物品６ａ，６ｂを固定する際に用いるものである。物品６ａ，６ｂについては実施例１と同様の構成であるため図示および説明を省略する。
【００４５】
固定具６０は、カバー部材６２と、プレート６４とを有する。
カバー部材６２は箱型（筒型）の部材であって、１つの面（図６（Ａ）においては背面）が、上述した重ね合わせ状態となっている突出片８ａおよび突出片８ｂが挿入可能な開口６８として構成されている。なお、上記１つの面は、本実施例ではその全面が開口となっているため実際にはその面に壁面は存在しない。
【００４６】
上述した１つの面と対向する（図６（Ａ）においては正面に位置する）面６２ａには、先端が開口６８に向かって延びる一対のスナップ６６が設けられている。一対のスナップ６６は、重ね合わせ状態となっている突出片８ａおよび突出片８ｂが挿入されたときに僅かに隙間が生じる間隔で配置されている。
【００４７】
カバー部材６２における面６２ａと交差する面６２ｂ，６２ｃには、突出片８ａおよび突出片８ｂの開口６８からの挿入方向（図６（Ａ）においては正面−背面方向）に沿って周囲よりも肉薄の破断領域７０が形成されている。また、この破断領域７０に沿って破断領域７０を挟むような位置関係で、２つの板状の延出部７２，７４がカバー部材６２の外側に向けて延びるように設けられている。この延出部７２，７４は主たる面が互いに平行となるように設けられている。
【００４８】
（２）固定具の使用態様
本実施例の固定具６０において、カバー部材６２と一対のスナップ６６は、図５（Ａ），（Ｂ）に示す実施例２のカバー部材４２およびスナップ４８と同様に作用して、突出片８ａおよび突出片８ｂを上述した重ね合わせ状態として保持することができる。
【００４９】
ここで、固定具６０に強い力を加えて物品６ａ，６ｂから無理に外そうとすると、肉薄に形成されて応力に弱い破断領域７０が破断し、カバー部材６２が破損してその形状を維持できなくなる。よって、カバー部材６２が破損することで固定具６０を突出片８ａと突出片８ｂから無理に外した痕跡が残るので、固定具６０を外したことを容易に判別することができる。
【００５０】
一方、物品６ａ，６ｂに取り付けられた固定具６０を取り外すためには破断領域７０が破断させてカバー部材６２を破損させる必要があるが、その場合には延出部７２，７４に力を加えることで、容易に破断領域７０を破断させることができる。例えば延出部７２と延出部７４との隙間に棒などを挿入してそれらの間隔が拡がるように力を加えたり、延出部７２と延出部７４との間隔が狭まるように指や工具などで操作したりすることで容易に破断領域７０を破断させることができる。
【００５１】
なお、本実施例では破断領域７０を挟むように延出部７２，７４が設けられる構成を例示したが、破断領域に沿って１つの延出部が設けられる構成であってもよいし、図７（Ａ），（Ｂ）に示す固定具８０のように、１つの延出部８２を２つの破断領域８４にて挟み込むように構成されていてもよい。この固定具８０では、例えば一対の延出部８２を挟むように指で摘むことで破断領域８４に応力を掛けて破断させることができる。図７（Ａ），（Ｂ）の固定具８０において、固定具６０と同様の構成については同符号を使用している。
【００５２】
また、延出部を設けず、破断領域のみが設けられる構成であってもよい。
［実施例４］
（１）固定具の構成
本実施例の固定具９０を図８（Ａ）〜（Ｈ）に示す。固定具９０は樹脂製であり、実施例１と同様に２つの異なる物品６ａ，６ｂを固定する際に用いるものである。物品６ａ，６ｂについては実施例１と同様の構成であるため、同符号を使用して説明を省略する。
【００５３】
固定具９０は、カバー部材９２と、プレート９４とを有する。
カバー部材９２は筒状の部材である。一方の開口９６は、上述した重ね合わせ状態となっている突出片８ａおよび突出片８ｂが挿入可能である。他方の開口９８の周縁には、互いに対向し、カバー部材９２の筒状の軸方向にそって延びる板状の一対の突出部１００ａ，１００ｂが設けられている。
【００５４】
突出部１００ａ，１００ｂは、開口９８から延び出す方向と交差する方向の両端部において一対のスナップ１０２が連接されている。この一対のスナップ１０２は、開口９８からカバー部材９２の内部に挿入されるように配置されている。スナップ１０２の一方はプレート９４と同一面となるように形成されている。
【００５５】
（２）固定具の使用態様
本実施例の固定具９０において、カバー部材９２と一対のスナップ１０２は、図５（Ａ），（Ｂ）に示す実施例２のカバー部材４２およびスナップ４８と同様に作用して、突出片８ａおよび突出片８ｂを上述した重ね合わせ状態として保持することができる。
【００５６】
固定具９０を取り外すためには、スナップ１０２の貫通穴１０ａ，１０ｂへの係合（図示しない）を解除する必要があるが、係合部分はカバー部材９２によって覆われているため容易に動かすことができない。
【００５７】
そこで、スナップ１０２におけるカバー部材９２の外部に位置するスナップ１０２の根元部分を操作する必要があるが、スナップ１０２の根元を操作して係合している先端部分を動かすためには非常に強い力を加える必要がある。よって、スナップ１０２の根元に力を加えると、幅方向（図８（Ａ），（Ｂ）における矢印方向）の厚みが周囲（プレート９４やカバー部材９２）よりも薄いスナップ１０２が折れてしまう。よって、スナップ１０２が破損することで固定具９０を突出片８ａと突出片８ｂから無理に外した痕跡が残るので、固定具９０を外したことを容易に判別することができる。
【００５８】
なお、スナップ１０２の根元近傍を周囲よりも肉薄に形成してもよい。このように構成すれば、スナップ１０２の係合を解除しようとして根元に力を加えたときにスナップ１０２が折れやすくなるため、スナップ１０２の係合を解除して固定具９０を外した痕跡をより確実に残すことができる。
【００５９】
［実施例５］
（１）固定具の構成
本実施例の固定具は、図９（Ａ），（Ｂ）に示すように、いずれも樹脂製の被係合部材１１０と軸部材１１２とからなるものであって、実施例１と同様に２つの異なる物品６ａ，６ｂを固定する際に用いるものである。物品６ａ，６ｂについては実施例１と同様の構成であるため、同符号を使用して説明を省略する。
【００６０】
上述した被係合部材１１０は、中空状の箱型のケース部材１１４を有している。ケース部材１１４を構成する面の一つは他の面よりも広く形成され、文字情報や図柄を予め形成して、或いは後から記入して表示可能なプレート１１６となっている。
【００６１】
このケース部材１１４は、軸部材１１２が挿入可能な第１の開口１１８と、上述した重ね合わせ状態となった突出片８ａおよび突出片８ｂを挿入可能な第２の開口１２０と、が形成されている。第２の開口１２０は、第１の開口１１８が形成された面（図９における下側面）と交差する面のうちプレート１１６でない３つの面に跨って形成されている。
【００６２】
第２の開口１２０は、重ね合わせ状態となった突出片８ａおよび突出片８ｂの厚さに合せて上下方向の幅が定められており、突出片８ａおよび突出片８ｂが挿入された状態では、上下方向に僅かに隙間が生じるように構成されている。
【００６３】
プレート１１６には第１の開口１１８に繋がる溝部１２２が形成されており、当該溝部１２２に軸部材１１２における後述する張出部１２６が収まるようになっている。
軸部材１１２は、柱状の基部１２４と、基部１２４の一端（図９（Ａ），（Ｂ）における下端）において外周側に張り出した張出部１２６と、基部１２４の他端（図９（Ａ），（Ｂ）における上端）において下方向に傾斜するように延び出し、基部１２４の軸方向と交差する方向に弾性変形する一対の係止片１２８と、を備える。
【００６４】
基部１２４における張出部１２６と係止片１２８との間には、周囲よりも肉薄に形成された破断領域１３０が設けられている。
（２）固定具の使用態様
本実施例の固定具を用いて突出片８ａおよび突出片８ｂを上述した重ね合わせ状態として保持したものを図１０（Ａ），（Ｂ）に示す。
【００６５】
固定具の取り付け手順を説明する。まず第２の開口１２０から重ね合わせ状態とした突出片８ａおよび突出片８ｂを挿入する。このとき、貫通穴１０ａ，１０ｂが並んでできた連続穴はケース部材１１４の内部に位置することとなる。次に、第１の開口１１８から軸部材１１２の他端（係止片１２８側）を挿入し、係止片１２８に連続穴を通過させる。その結果、係止片１２８が連続穴の周縁部（貫通穴１０ａの周縁部）に係止する。
【００６６】
上述したように固定具が取り付けられた状態においては、突出片８ａおよび突出片８ｂを第２の開口１２０から抜くことができず、また第２の開口１２０の周縁部に接触するため上下方向にも動かすことができないので、上記重ね合わせ状態が保持される。
【００６７】
突出片８ａと突出片８ｂとを第２の開口１２０から抜くためには係止片１２８と連続穴との係止を解除する必要があるが、その係止部分はケース部材１１４の内部であるため容易に解除することができない。
【００６８】
ここで、突出片８ａおよび突出片８ｂを第２の開口１２０から無理に抜こうとしたり、被係合部材１１０から軸部材１１２を無理に外そうとすると、応力に弱い破断領域１３０が破断する。その結果、軸部材１１２を再び使用することができなくなるうえ、軸部材１１２が破断することで固定具を突出片８ａと突出片８ｂから無理に外した痕跡が残るので、固定具を外したことを容易に判別することができる。
【００６９】
また、図１０（Ａ），（Ｂ）の状態では、張出部１２６が溝部１２２に収まっているため、張出部１２６がプレート１１６からはみ出して外観品質を低下させる虞がない。なお、張出部１２６が第１の開口１１８の内部に収まるように構成してもよい。
【００７０】
［実施例６］
（１）固定具の構成
本実施例の固定具は、図１１（Ａ），（Ｂ）に示すように、いずれも樹脂製の被係合部材１４０と軸部材１４２とからなるものであって、実施例１と同様に２つの異なる物品６ａ，６ｂを固定する際に用いるものである。物品６ａ，６ｂについては実施例１と同様の構成であるため、同符号を使用して説明を省略する。
【００７１】
上述した被係合部材１４０は、中空状の箱型のケース部材１４４を有している。このケース部材１４４は、軸部材１４２が挿入可能な第１の開口１４６と、上述した重ね合わせ状態となった突出片８ａおよび突出片８ｂを挿入可能な第２の開口１４８と、が形成されている。第２の開口１４８は、第１の開口１４６が形成された面（図１１（Ａ），（Ｂ）における上側面）と交差する面に形成されている。
【００７２】
第２の開口１４８は、重ね合わせ状態となった突出片８ａおよび突出片８ｂの形状に合せて幅が定められており、突出片８ａおよび突出片８ｂが挿入された状態では、突出片８ａおよび突出片８ｂの周囲に僅かに隙間が生じるように構成されている。
【００７３】
軸部材１４２は、柱状の基部１５０と、基部１５０の一端（図１１（Ａ），（Ｂ）における上端）において外周側に張り出した張出部１５２と、基部１５０の他端（図１１（Ａ），（Ｂ）における下端）において上方向に傾斜するように延び出し、基部１５０の軸方向と交差する方向に弾性変形する係止片１５４と、を備える。
【００７４】
基部１５０における張出部１５２と係止片１５４との間には、周囲よりも肉薄に形成された破断領域１５６が設けられている。
（２）固定具の使用態様
本実施例の固定具を用いて突出片８ａおよび突出片８ｂを上述した重ね合わせ状態として保持したものを図１２（Ａ），（Ｂ）に示す。
【００７５】
固定具の取り付け手順を説明する。まず第２の開口１４８から重ね合せ状態とした突出片８ａおよび突出片８ｂを挿入する。このとき、貫通穴１０ａ，１０ｂが並んでできた連続穴はケース部材１４４の内部に位置することとなる。次に、第１の開口１４６から軸部材１４２の他端（係止片１５４側）を挿入し、係止片１５４に連続穴を通過させる。その結果、係止片１５４が連続穴の周縁部（貫通穴１０ｂの周縁部）に係止する。
【００７６】
上述したように固定具が取り付けられた状態においては、突出片８ａおよび突出片８ｂは第２の開口１４８によって囲まれており、かつ軸部材１４２によって突出片８ａおよび突出片８ｂを第２の開口１４８から抜くこともできないので、上記重ね合わせ状態が保持される。
【００７７】
突出片８ａと突出片８ｂとを第２の開口１４８から抜くためには係止片１５４と連続穴との係止を解除する必要があるが、その係止部分はケース部材１４４の内部であるため容易に解除することができない。
【００７８】
ここで、突出片８ａおよび突出片８ｂを第２の開口１４８から無理に抜こうとしたり、被係合部材１４０から軸部材１４２を無理に外そうとすると、応力に弱い破断領域１５６が破断する。その結果、軸部材１４２を再び使用することができなくなるうえ、軸部材１４２が破断することで固定具を突出片８ａと突出片８ｂから無理に外した痕跡が残るので、固定具を外したことを容易に判別することができる。
【００７９】
なお、本実施例の固定具では、軸部材１４２のみを用いて突出片８ａおよび突出片８ｂの固定を行うことも可能である。具体的には、突出片８ａおよび突出片８ｂを上述した重ね合わせ状態として連続穴に軸部材１４２を通過させ、上述したように係止片１５４を連続穴の周縁部に係止することで固定できる。
【００８０】
この状態では、指などにより係止片１５４を基部１５０側に押すだけで係止片１５４の貫通穴１０ａの縁部に対する係止を容易に解除することができる。すなわち、本実施例の固定具では、軸部材１４２のみを用いることで、突出片８ａと突出片８ｂとの仮固定を行うことができる。
【００８１】
なお上述したように、ケース部材１４４を同時に用いると、係止片１５４の外部からの操作が不能となるほか、第２の開口１４８によって突出片８ａと突出片８ｂとがずれることを防止できるため、重ね合わせ状態をより強固に保持できる。
【符号の説明】
【００８２】
２…被係合部材、４…軸部材、６ａ，６ｂ…物品、８ａ，８ｂ…突出片、１０ａ，１０ｂ…貫通穴、２０…筒状部、２２…プレート、２４…挿入穴、２６…被係止片、２８…開口、３０…基材、３２…係止片、３４…張出部、３６…破断領域、４０…固定具、４２…カバー部材、４４…プレート、４６…連接部、４６ａ…開口、４８…スナップ、４８ａ…先端部、５０…開口、６０…固定具、６２…カバー部材、６４…プレート、６６…スナップ、６８…開口、７０…破断領域、７２…延出部、７４…延出部、８０…固定具、８２…延出部、８４…破断領域、９０…固定具、９２…カバー部材、９４…プレート、９６…開口、９８…開口、１００ａ，１００ｂ…突出部、１０２…スナップ、１１０…被係合部材、１１２…軸部材、１１４…ケース部材、１１６…プレート、１１８…開口、１２０…開口、１２２…溝部、１２４…基部、１２６…張出部、１２８…係止片、１３０…破断領域、１４０…被係合部材、１４２…軸部材、１４４…ケース部材、１４６…開口、１４８…開口、１５０…基部、１５２…張出部、１５４…係止片、１５６…破断領域
【図１】
0005668238.tif 000002
【図２】
0005668238.tif 000003
【図３】
0005668238.tif 000004
【図４】
0005668238.tif 000005
【図５】
0005668238.tif 000006
【図６】
0005668238.tif 000007
【図７】
0005668238.tif 000008
【図８】
0005668238.tif 000009
【図９】
0005668238.tif 000010
【図１０】
0005668238.tif 000011
【図１１】
0005668238.tif 000012
【図１２】
0005668238.tif 000013